(57)【要約】【課題】不正利用が行われないようにする。【解決手段】利用者に、撮影空間内で利用者を被写体とする撮影作業を行わせる撮影部と、撮影作業により得られた利用者の画像に対して編集情報を入力する編集作業を編集空間で行わせる編集部と、得られた編集済みの利用者の画像を所定のシール紙に印刷し、印刷されたシール紙を排出し、写真シールとして利用者に印刷空間で提供する印刷部と、印刷空間と同一空間に設けられた事後接客空間で、印刷部による印刷が終了するまでの間、ゲームを提供する事後接客部とを備える。撮影空間において利用者により入力される情報を用いて、編集空間と事後接客空間において利用者の認証処理を行うことで、各空間での不正利用を防止する。また認証処理を、利用者に特典を付与する処理として行われるようにすることで、利用者の満足度を向上させる。【選択図】図３
2014170233.tif 000002
【特許請求の範囲】
【請求項１】
利用者に、撮影空間内で前記利用者を被写体とする撮影作業を行わせる撮影部と、
前記撮影作業により得られた前記利用者の画像に対して編集情報を入力する編集作業を編集空間で行わせる編集部と、
得られた編集済みの前記利用者の画像を所定のシール紙に印刷し、印刷された前記シール紙を排出し、写真シールとして前記利用者に印刷空間で提供する印刷部と、
前記印刷空間と同一空間に設けられた事後接客空間で、前記印刷部による印刷が終了するまでの間、前記利用者の画像を携帯端末に送信するための処理またはゲームを提供する事後接客部と
を備え、
前記撮影空間で、前記利用者により、会員毎に割り当てられた識別情報が入力され、前記編集空間と前記事後接客空間の少なくともいずれか一方の空間において、前記識別情報が、前記利用者により入力されることで前記利用者の認証処理が行われ、
前記認証処理は、前記利用者に特典を付与する処理としても行われる
写真シール作成装置。
【請求項２】
前記特典は、所定のサイトを介して提供される高画質な画像の提供、または前記編集部による編集が行われた編集画像と編集前の撮影画像の両方を提供することである
請求項１に記載の写真シール作成装置。
【請求項３】
前記撮影空間、前記編集空間、および前記事後接客空間は、非接触型ICからIDを読み取る読み取り手段をそれぞれ備え、
前記撮影空間の読み取り手段により読み取られた前記IDが、前記識別情報とされ、前記編集空間および前記事後接客空間の読み取り手段でそれぞれ読み取られた前記IDと一致するか否かを判断することで、前記編集空間と前記事後接客空間における認証処理を行う
請求項１に記載の写真シール作成装置。
【請求項４】
撮影空間とは異なる事前接客空間で、前記撮影空間における撮影の前に、所定のサービスを提供する事前接客部と、
利用者に、前記撮影空間内で前記利用者を被写体とする撮影作業を行わせる撮影部と、
前記撮影作業により得られた前記利用者の画像に対して編集情報を入力する編集作業を編集空間で行わせる編集部と、
得られた編集済みの前記利用者の画像を所定のシール紙に印刷し、印刷された前記シール紙を排出し、写真シールとして前記利用者に印刷空間で提供する印刷部と、
前記印刷空間と同一空間に設けられた事後接客空間で、前記印刷部による印刷が終了するまでの間、前記利用者の画像を携帯端末に送信するための処理またはゲームを提供する事後接客部と
を備え、
前記事前接客部で、前記利用者により会員毎に割り当てられた識別情報が入力され、前記撮影空間、前記編集空間、または前記事後接客空間の少なくともいずれか１つの空間において、前記識別情報が、前記利用者により入力されることで前記利用者の認証処理が行われ、
前記認証処理は、前記利用者に特典を付与する処理としても行われる
写真シール作成装置。
【請求項５】
利用者に、撮影空間内で前記利用者を被写体とする撮影作業を行わせる撮影部と、
前記撮影作業により得られた前記利用者の画像に対して編集情報を入力する編集作業を編集空間で行わせる編集部と、
得られた編集済みの前記利用者の画像を所定のシール紙に印刷し、印刷された前記シール紙を排出し、写真シールとして前記利用者に印刷空間で提供する印刷部と、
前記印刷空間と同一空間に設けられた事後接客空間で、前記印刷部による印刷が終了するまでの間、前記利用者の画像を携帯端末に送信するための処理またはゲームを提供する事後接客部と
を備える写真シール作成装置の処理方法であって、
前記撮影空間で、前記利用者により、会員毎に割り当てられた識別情報が入力され、前記編集空間と前記事後接客空間の少なくともいずれか一方の空間において、前記識別情報が、前記利用者により入力されることで前記利用者の認証処理が行われ、
前記認証処理は、前記利用者に特典を付与する処理としても行われる
ステップを含む写真シール作成装置の処理方法。
【請求項６】
利用者に、撮影空間内で前記利用者を被写体とする撮影作業を行わせる撮影部と、
前記撮影作業により得られた前記利用者の画像に対して編集情報を入力する編集作業を編集空間で行わせる編集部と、
得られた編集済みの前記利用者の画像を所定のシール紙に印刷し、印刷された前記シール紙を排出し、写真シールとして前記利用者に印刷空間で提供する印刷部と、
前記印刷空間と同一空間に設けられた事後接客空間で、前記印刷部による印刷が終了するまでの間、前記利用者の画像を携帯端末に送信するための処理またはゲームを提供する事後接客部と
を備える写真シール作成装置を制御するコンピュータに、
前記撮影空間で、前記利用者により、会員毎に割り当てられた識別情報が入力され、前記編集空間と前記事後接客空間の少なくともいずれか一方の空間において、前記識別情報が、前記利用者により入力されることで前記利用者の認証処理が行われ、
前記認証処理は、前記利用者に特典を付与する処理としても行われる
ステップを含む処理を実行させるためのコンピュータ読み取り可能なプログラム。
【発明の詳細な説明】
【技術分野】
【０００１】
本技術は、写真シール作成装置、写真シール作成装置の処理方法、並びにプログラムに関する。詳しくは、認証処理を利用者に煩わしさを感じさせることなく行わせる写真シール作成装置、写真シール作成装置の処理方法、並びにプログラムに関する。
【背景技術】
【０００２】
従来、利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集画像をシール紙に印刷して排出するという流れになる。
【０００４】
そのような写真シール機のなかには、撮影空間が３箇所、編集空間が３箇所、印刷空間が２箇所以上設けられ、一度に複数の接客を行える装置もある。このような多重接客を行える写真シール機において、撮影空間で認証情報（ＩＤやパスワード等）を印刷もしくはカードを発行し、編集および印刷時にそれぞれの空間で認証情報を入力もしくはカード挿入して編集および印刷を行わせる写真シール機がある。
【０００５】
また写真シール機のなかには、撮影空間１箇所に対して編集空間を２箇所以上設けた３重接客等の多重接客で、各空間での処理時間を所定時間に制限することにより、利用者の回転率（単位時間あたりの利用回数）の向上を図る写真シール機もある（例えば、特許文献１参照）。
【０００６】
また写真シール機のなかには、印刷終了までの待機中の利用者に対してミニゲームや画像転送等のサービスを提供する事後接客処理が備わっており、印刷終了までの待機中に、利用者が退屈することなくゲームを楽しむことができる写真シール機がある（例えば、特許文献２参照）。近年では特に、携帯端末へ画像送信を行い、送信された画像を携帯端末の待受画面にするなどして楽しんでいる利用者が多い。
【０００７】
またそのような事後接客処理を有する写真シール機のなかには、編集空間において編集処理の開始前に利用者に対して事後接客処理の種類を選択させることにより、撮影空間から編集空間へ撮影画像を転送している間に、利用者が退屈することなくゲームを行うことができる写真シール機がある。
【０００８】
また写真シール機のなかには、撮影前に名前を入力し、それらをスタンプ画像として生成し提供することができる写真シール機や、編集前・編集中に名前を入力し、それらをスタンプ画像として提供する写真シール機がある（例えば、特許文献３参照）。
【先行技術文献】
【特許文献】
【０００９】
【特許文献１】特開2006-154489号公報
【特許文献２】特開2008-129206号公報
【特許文献３】特開2005-079898号公報
【発明の概要】
【発明が解決しようとする課題】
【００１０】
上記したように、写真シール機によって提供される１ゲームの流れは、撮影空間内にいる利用者を被写体として撮影し、利用者を編集空間に移動させ、編集空間内で行われる操作に従って画像を編集し、編集後の画像である編集画像をシール紙に印刷して排出するといった流れである。このような流れでゲームが進行する場合、また、多重接客が行える写真シール機の場合、例えば、撮影空間で撮影を行っている利用者（利用者Ａとする）がいるときに、編集空間で編集を行っている利用者（利用者Ｂとする）がいるときがある。
【００１１】
利用者Ａが、撮影が終わり、指定された編集空間に移動するときに、編集が終わったにもかかわらず、編集空間に利用者Ｂがいる場合が想定される。このような場合、利用者Ａは、編集空間で編集を行うことができないが、その間も、予め設定されている編集時間が経過してしまい、結果として編集時間が短くなってしまう可能性がある。利用者Ａは、編集時間が短くなり、満足度が低下してしまう可能性がある。また、利用者Ａが編集空間に移動するまでの間に、編集空間にいる利用者Ｂが、利用者Ａの画像を編集してしまう可能性もある。
【００１２】
このようなことを防ぐために、編集空間にいる利用者が、利用者Ａであることが確認されてから、利用者Ａが編集すべき画像が、編集空間に表示されるようにすることが考えられる。そこで、特許文献１で提案されているように認証を行うことも考えられる。特許文献１で提案されている認証は、撮影空間で発行した認証情報（印刷もしくはカード発行）を、編集・印刷時に認証（入力もしくはカード挿入）させて編集・印刷を行わせるので、異なる利用者の撮影画像に対して編集・印刷を行うことを防ぐことができる。しかしながら、利用者の認証以外に、ゲームに流用できる用途がないため、そのような認証処理は、利用者にとっては余計な操作をさせられているだけであり、煩わしく感じる場合がある。その結果、利用者の満足度を低下させてしまう可能性がある。
【００１３】
また、特許文献２や特許文献３で提案されている写真シール機においては、上記したように、現利用者（利用者Ａ）に対する編集空間での操作を、先利用者（利用者Ｂ）が編集終了しても編集空間に滞留していて誤って行ってしまう場合があり、現利用者が希望する事後接客処理を行わせることができない場合がある。その結果、利用者の満足度を低下させてしまう可能性がある。
【００１４】
本技術は、このような状況に鑑みてなされたものであり、認証処理を、ゲームの一部として楽しんでもらえるようにしつつも、認証処理を適切に行うことができるようにするものである。
【課題を解決するための手段】
【００１５】
本技術の一側面の第１の写真シール作成装置は、利用者に、撮影空間内で前記利用者を被写体とする撮影作業を行わせる撮影部と、前記撮影作業により得られた前記利用者の画像に対して編集情報を入力する編集作業を編集空間で行わせる編集部と、得られた編集済みの前記利用者の画像を所定のシール紙に印刷し、印刷された前記シール紙を排出し、写真シールとして前記利用者に印刷空間で提供する印刷部と、前記印刷空間と同一空間に設けられた事後接客空間で、前記印刷部による印刷が終了するまでの間、前記利用者の画像を携帯端末に送信するための処理またはゲームを提供する事後接客部とを備え、前記撮影空間で、前記利用者により、会員毎に割り当てられた識別情報が入力され、前記編集空間と前記事後接客空間の少なくともいずれか一方の空間において、前記識別情報が、前記利用者により入力されることで前記利用者の認証処理が行われ、前記認証処理は、前記利用者に特典を付与する処理としても行われる。
【００１６】
前記特典は、所定のサイトを介して提供される高画質な画像の提供、または前記編集部による編集が行われた編集画像と編集前の撮影画像の両方を提供することであるようにすることができる。
【００１７】
前記撮影空間、前記編集空間、および前記事後接客空間は、非接触型ICからIDを読み取る読み取り手段をそれぞれ備え、前記撮影空間の読み取り手段により読み取られた前記IDが、前記識別情報とされ、前記編集空間および前記事後接客空間の読み取り手段でそれぞれ読み取られた前記IDと一致するか否かを判断することで、前記編集空間と前記事後接客空間における認証処理を行うようにすることができる。
【００１８】
本技術の一側面の第２の写真シール作成装置は、撮影空間とは異なる事前接客空間で、前記撮影空間における撮影の前に、所定のサービスを提供する事前接客部と、利用者に、前記撮影空間内で前記利用者を被写体とする撮影作業を行わせる撮影部と、前記撮影作業により得られた前記利用者の画像に対して編集情報を入力する編集作業を編集空間で行わせる編集部と、得られた編集済みの前記利用者の画像を所定のシール紙に印刷し、印刷された前記シール紙を排出し、写真シールとして前記利用者に印刷空間で提供する印刷部と、前記印刷空間と同一空間に設けられた事後接客空間で、前記印刷部による印刷が終了するまでの間、前記利用者の画像を携帯端末に送信するための処理またはゲームを提供する事後接客部とを備え、前記事前接客部で、前記利用者により会員毎に割り当てられた識別情報が入力され、前記撮影空間、前記編集空間、または前記事後接客空間の少なくともいずれか１つの空間において、前記識別情報が、前記利用者により入力されることで前記利用者の認証処理が行われ、前記認証処理は、前記利用者に特典を付与する処理としても行われる。
【００１９】
本技術の一側面の写真シール作成装置の処理方法は、利用者に、撮影空間内で前記利用者を被写体とする撮影作業を行わせる撮影部と、前記撮影作業により得られた前記利用者の画像に対して編集情報を入力する編集作業を編集空間で行わせる編集部と、得られた編集済みの前記利用者の画像を所定のシール紙に印刷し、印刷された前記シール紙を排出し、写真シールとして前記利用者に印刷空間で提供する印刷部と、前記印刷空間と同一空間に設けられた事後接客空間で、前記印刷部による印刷が終了するまでの間、前記利用者の画像を携帯端末に送信するための処理またはゲームを提供する事後接客部とを備える写真シール作成装置の処理方法であって、前記撮影空間で、前記利用者により、会員毎に割り当てられた識別情報が入力され、前記編集空間と前記事後接客空間の少なくともいずれか一方の空間において、前記識別情報が、前記利用者により入力されることで前記利用者の認証処理が行われ、前記認証処理は、前記利用者に特典を付与する処理としても行われるステップを含む。
【００２０】
本技術の一側面のプログラムは、利用者に、撮影空間内で前記利用者を被写体とする撮影作業を行わせる撮影部と、前記撮影作業により得られた前記利用者の画像に対して編集情報を入力する編集作業を編集空間で行わせる編集部と、得られた編集済みの前記利用者の画像を所定のシール紙に印刷し、印刷された前記シール紙を排出し、写真シールとして前記利用者に印刷空間で提供する印刷部と、前記印刷空間と同一空間に設けられた事後接客空間で、前記印刷部による印刷が終了するまでの間、前記利用者の画像を携帯端末に送信するための処理またはゲームを提供する事後接客部とを備える写真シール作成装置を制御するコンピュータに、前記撮影空間で、前記利用者により、会員毎に割り当てられた識別情報が入力され、前記編集空間と前記事後接客空間の少なくともいずれか一方の空間において、前記識別情報が、前記利用者により入力されることで前記利用者の認証処理が行われ、前記認証処理は、前記利用者に特典を付与する処理としても行われるステップを含む処理を実行させる。
【００２１】
本技術の一側面の第１の写真シール機、写真シール機の処理方法、並びにプログラムにおいては、利用者に、撮影空間内で利用者を被写体とする撮影作業を行わせる撮影部と、撮影作業により得られた利用者の画像に対して編集情報を入力する編集作業を編集空間で行わせる編集部と、得られた編集済みの利用者の画像を所定のシール紙に印刷し、印刷されたシール紙を排出し、写真シールとして利用者に印刷空間で提供する印刷部と、印刷空間と同一空間に設けられた事後接客空間で、印刷部による印刷が終了するまでの間、利用者の画像を携帯端末に送信するための処理またはゲームを提供する事後接客部とが備えられ、各空間において認証処理が行われる。具体的には、撮影部での撮影の前または後の時点で利用者により会員毎に割り当てられている識別情報が入力され、編集空間において利用者により入力された識別情報が一致するか否かを判断することで認証処理が行われる。同様に、撮影部での利用者により入力された識別情報と、編集空間において利用者により入力された識別情報が一致するか否かを判断することで認証処理が行われる。認証処理は、利用者にとって、ゲームの一部として受け入れられるように、例えば、情報を入力されたら特典を付与する。
【発明の効果】
【００２２】
本技術の一側面によれば、認証処理を、ゲームの一部として楽しんでもらえるようにすることができる。そして、認証処理自体も適切に行うことができるようになる。
【図面の簡単な説明】
【００２３】
【図１】写真シール機の外観の構成例を示す斜視図である。
【図２】写真シール機の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール機の内部の構成例を示すブロック図である。
【図９】写真シール機の機能について説明するためのブロック図である。
【図１０】写真シール作成ゲームを提供する処理について説明するフローチャートである。
【図１１】撮影空間で利用者に提示される画面の一例である。
【図１２】編集空間で利用者に提示される画面の一例である。
【図１３】編集空間で利用者に提示される画面の一例である。
【図１４】事後接客空間で利用者に提示される画面の一例である。
【図１５】事後接客空間で利用者に提示される画面の一例である。
【図１６】撮影空間で利用者に提示される画面の一例である。
【図１７】編集空間で利用者に提示される画面の一例である。
【図１８】事後接客空間で利用者に提示される画面の一例である。
【図１９】撮影空間で利用者に提示される画面の一例である。
【図２０】編集空間で利用者に提示される画面の一例である。
【図２１】事後接客空間で利用者に提示される画面の一例である。
【図２２】写真シール機の内部の構成例を示すブロック図である。
【図２３】写真シール機の内部の構成例を示すブロック図である。
【発明を実施するための形態】
【００２４】
以下に、本技術の実施の形態について図面を参照して説明する。
【００２５】
［写真シール機の外観構成］
図１は、本発明の一実施形態に係る写真シール機１の外観の構成例を示す斜視図である。写真シール機１は、撮影や編集等の作業を利用者にゲームとして行わせ、撮影画像や編集済み画像を提供する代わりに利用者より代金を受け取るゲーム機である。写真シール機１はゲームセンタなどの店舗に設置される。利用者は１人であることもあるし、複数人であることもある。
【００２６】
写真シール機１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２７】
図１に示すように、写真シール機１は、主に、撮影ユニット１１、編集部１２、および事後接客部１３から構成される。撮影ユニット１１と編集部１２が接した状態で設置され、編集部１２と事後接客部１３が接した状態で設置される。
【００２８】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００２９】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３０】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図２）から構成される。
【００３１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３２】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３４】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、後述する編集処理において、利用者が所望する背景画像をカーテンの部分に合成することができるようにしてもよい。
【００３５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３６】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３７】
図１に示す編集部１２の構成を正面側の構成とすると、２組の利用者が同時に編集処理を行うことができるように、編集部１２の正面側と背面側には編集処理に用いられる構成がそれぞれ設けられる。
【００３８】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２）が設けられる。
【００３９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４０】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４１】
図２は、写真シール機１を別の角度から見た斜視図である。事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４２】
図２に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４３】
ここで、写真シール作成ゲームの流れと、それに伴う利用者の移動について図３を参照して説明する。図３は、写真シール機１を上から見た平面図である。
【００４４】
写真シール機１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４５】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４６】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４７】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００４８】
画像の印刷が終了したとき、利用者は、事後接客部１３に設けられた排出口からシール紙を受け取り、一連の写真シール作成ゲームを終えることになる。
【００４９】
［各装置の構成］
次に、各装置の構成について説明する。
【００５０】
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５１】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００５２】
正面パネル４１のほぼ中央には撮影・表示ユニット８１が設けられる。撮影・表示ユニット８１は、カメラ９１、正面ストロボ９２、およびタッチパネルモニタ９３から構成される。カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５３】
カメラ９１を囲むように発光面が設けられた正面ストロボ９２は、他のストロボと同様にカメラ９１による撮影に合わせて発光し、被写体としての利用者の顔付近を正面から照射する。カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５４】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５５】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５６】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量が調整されることによって、または、発光させる蛍光灯の数が調整されることによって、撮影空間Ａ１内の明るさが、利用者が行っている撮影処理の内容に応じて適宜調整される。
【００５７】
足元ストロボ８６の右側には、利用者がお金を投入する硬貨投入返却口８７が設けられる。下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００５８】
図５は、背景部２２の撮影空間Ａ１側の構成例を示す図である。上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００５９】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００６０】
図６は、編集部１２の正面側（編集空間Ａ２−１側）の構成例を示す図である。斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６１】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００６２】
編集部１２の左側には事後接客部１３が設けられる。図７は、事後接客部１３の正面側の構成例を示す図である。事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。
【００６３】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００６４】
非接触型ICリーダ／ライタ１６３は、近接された非接触型ICと通信を行い、非接触型ICからのデータの読み出しや非接触型ICに対するデータの書き込みを行う。シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。スピーカ１６５は、事後接客処理の案内音声、BGM、効果音等の音を出力する。
【００６５】
［写真シール機の内部構成］
次に、写真シール機１の内部構成について説明する。図８は、写真シール機１の内部の構成例を示すブロック図である。上述した構成と同じ構成には同じ符号を付してある。重複する説明については適宜省略する。
【００６６】
制御部２０１はCPU(Central Processing Unit)などよりなり、ROM(Read Only Memory)２０６や記憶部２０２に記憶されているプログラムを実行し、写真シール機１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００６７】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００６８】
通信部２０３はインターネットなどのネットワークのインタフェースであり、制御部２０１による制御に従って外部の装置と通信を行う。ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００６９】
ROM２０６には、制御部２０１において実行されるプログラムやデータが記憶されている。RAM２０７は、制御部２０１が処理するデータやプログラムを一時的に記憶する。撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００７０】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００７１】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００７２】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００７３】
また、照明制御部２２３は、各ストロボの内部に設けられる蛍光灯の発光量を調整することによって、または、発光させる蛍光灯の数を調整することによって、利用者が行っている撮影処理の段階に応じて撮影空間Ａ１内の明るさを調整する。カメラ９１は、制御部２０１による制御に従って撮影を行い、撮影によって得られた画像を制御部２０１に出力する。
【００７４】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００７５】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００７６】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００７７】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいる利用者を相手とした処理を行う構成となる。
【００７８】
次に、制御部２０１について説明する。図９は、制御部２０１がＲＯＭ２０６などに格納されているプログラムを実行することにより実現される機能ブロックの構成例を示している。制御部２０１は、撮影処理部３０１、編集処理部３０２、印刷処理部３０３、および事後接客処理部３０４の機能を含む。
【００７９】
撮影処理部３０１は、撮影部２０８の各部を制御することで、写真シール作成ゲームを開始する際に投入される代金（硬貨）に関する処理や、利用者を撮影する等の写真シール作成ゲームの撮影作業の工程に関する処理を行う。編集処理部３０２は、編集部２０９の各部を制御することで、撮影画像に対する落書き編集等の写真シール作成ゲームの編集作業の工程に関する処理を行う。
【００８０】
印刷処理部３０３は、印刷部２１１の各部を制御することで、シール紙の印刷等の写真シール作成ゲームの印刷の工程に関する処理を行う。事後接客処理部３０４は、事後接客部２１０の各部を制御することで、編集作業を終了した利用者を接客する写真シール作成ゲームの事後接客の工程に関する処理を行う。
【００８１】
［写真シール機の動作］
ここで、図１０のフローチャートを参照して、写真シール作成ゲームを提供する写真シール機１の処理について説明する。
【００８２】
写真シール作成ゲームを行う利用者は、最初に、撮影部２１の硬貨投入返却口８７にコインを投入し、ゲームの代金を支払う。硬貨処理部２２１は、このような硬貨投入を受け付け、起動信号を制御部２０１に供給する。制御部２０１の撮影処理部３０１は、ステップＳ１１において、その起動信号に基づいて、代金が投入されたか否かを判定し、正当な代金が投入されたと判定した場合、処理をステップＳ１２に進める。
【００８３】
ステップＳ１２において、撮影処理部３０１は、撮影部２０８の各部を制御し、撮影空間Ａ１内において行われる、写真シール作成ゲームの撮影作業に関する処理である撮影処理を実行する。
【００８４】
撮影処理において、撮影処理部３０１は、撮影した被写体の画像に背景または前景として合成表示する画像である合成用画像を利用者に選択させ、撮影した被写体の画像と、利用者により選択された合成用画像とを合成して得られる撮影画像を、編集処理部３０２に供給する。撮影処理により、例えば、６枚の撮影画像が得られる。
【００８５】
撮影作業が終了すると、撮影処理部３０１は、ステップＳ１３において認証用の情報の入力を受け付ける。認証用の情報として、利用者の名前が用いられる場合を例に挙げて説明する。図１１は、撮影終了後に、撮影空間に備えられているタッチパネルモニタ９３上に表示される画面の一例であり、名前を認証用の情報として入力する際の画面の一例である。
【００８６】
なおここでは、撮影後に認証用の情報が入力されるとして説明するが、撮影前に認証用の情報が入力されるようにしても良い。写真シール機１のなかには、事前接客を行う写真シール機もある。写真シール機で提供されるゲームを楽しみたいと利用者が思ったときに、撮影空間で他の利用者が撮影を行っているために、ゲームを開始できないときがある。そのようなとき、写真シール機の前で撮影空間が空くのを待つという待機状態が発生する。
【００８７】
この待機状態のときに利用者を飽きさせることなく待機させるために、ちょっとしたゲームの提供や、写真シール機の説明などのサービスの提供が行われるように構成されている写真シール機がある。このような撮影前に行われる接客、すなわち事前の接客を行うことを事前接客と称し、そのような事前接客を行う写真シール機の場合、この事前接客時に、認証用の情報が入力されるようにしても良い。また事前接客時に認証用の情報が入力される場合、撮影空間においては、その認証用の情報を用いた認証処理が、後述する編集空間や事後接客空間で行われる認証処理と同じようにして行われるようにしても良い。
【００８８】
図１１に示した画面の上部には、“名前やグループ名を入力してね”というメッセージが表示されている。このように、利用者には認証用の情報の入力であることを認識させないようなメッセージが表示される。また後述するように、このようなメッセージに対応して利用者が入力した名前やグループ名（以下、名前が入力される場合を例に挙げて説明する）は、編集作業時に、入力された名前を含むスタンプ（ラクガキツール）として、利用者に提供される。
【００８９】
よって、利用者は、名前を入力すると、自分達専用のスタンプが提供されることになり、このような入力を煩わしく感じることなく、むしろ、満足度が向上すると考えられる。一方で、写真シール機１側では、編集空間や印刷空間において、利用者を認証するための情報として用いられる情報を取得することができるという効果もある。
【００９０】
このように、認証用の情報を入力してくれた利用者に対しては、特別なスタンプ画像が提供されるといったような、何らかの特典を付与することで、利用者に取っては、特典を得るための情報入力であるようにし、写真シール機１にとっては認証用の情報の取得であるようにすることができる。なお、特典としては、利用者が積極的に情報入力を行うような特典であり、特別なスタンプ画像の提供に限定されるものではなく、編集空間における編集時間の延長や、携帯端末に撮影や編集を行った画像を送信するサービスの提供や、そのサービスで送信される画像の種類を増やすなど、さまざまである。
【００９１】
図１１を参照するに、タッチパネルモニタ９３に表示される画面のメッセージの下側には、利用者が名前やグループ名を入力する欄５０１、欄５０１に表示されている文字を１つ削除する際に操作される“１つ戻る”ボタン５０２、最初からやり直す際に操作される“最初から”ボタン５０３、入力するためのひらがなやローマ字（図１１ではひらがな）の一覧が表示される文字表示部５０４、および、欄５０１に入力された名前やグループ名で決定するときに操作される“決定“ボタン５０５が表示されている。
【００９２】
このような画面において、利用者は、名前やグループ名を入力する。写真シール機１は、１人で利用されるとは限らない。例えば、２人以上の利用者が利用しているときに対応するために、“決定”ボタン５０５が操作された後、２人目の利用者の名前が入力できるように構成することも可能である。２人目の利用者も情報を入力できるように構成した場合、“決定”ボタン５０５の２回目の操作で、認証用の情報の入力が行われたと判断される。
【００９３】
図１０に示したフローチャートの説明に戻り、ステップＳ１３において、図１１に示したような画面が、タッチパネルモニタ９３上に表示され、認証用の情報の入力の受け付けが行われると、ステップＳ１４において、認証用の情報の入力が行われたか、または所定の時間が経過したかが判断される。上記したように、“決定”ボタン５０５が操作された場合、認証用の情報の入力は行われたと判断される。
【００９４】
また情報が入力されるまで、待機状態を継続すると、他の利用者が撮影空間に入れず、撮影を行うことができないため、情報を入力できる制限時間（所定の時間）が設定されている。そのような設定されている所定の時間が、経過した場合も、次の処理に処理を進めるために、ステップＳ１４において、所定の時間が経過したか否かが判断される。
【００９５】
ステップＳ１４において、認証用の情報は入力されていないと判断され、かつ、所定の時間は経過していないと判断された場合、ステップＳ１３に処理が戻され、それ以降の処理が繰り返される。一方で、ステップＳ１４において、認証用の情報が入力されたと判断された場合、または、所定の時間が経過したと判断された場合、ステップＳ１５に処理が進められる。
【００９６】
撮影作業と認証処理を実行するための情報の入力の受け付けが終了すると、撮影処理部３０１は、ステップＳ１５において、撮影作業を終えた撮影空間Ａ１内の利用者に対して、画像や音声によって編集空間Ａ２（第１編集空間Ａ２−１または第２編集空間Ａ２−２）への移動を促す移動案内を行う。このような移動案内が行われると、利用者は、移動案内に基づき、編集空間に移動するため、編集空間においては、ステップＳ１６における処理が実行される。
【００９７】
ステップＳ１６において、編集処理部３０２は、編集空間での認証処理を実行する。編集空間での認証処理は、図１２に示したような画面が、編集空間に備えられているタブレット内蔵モニタ１３１上に表示されることで行われる。図１２を参照するに、タブレット内蔵モニタ１３１に表示される画面の上部には、“この名前でスタンプを作成しても良い?”といったメッセージが表示されるメッセージ表示部５３１が設けられている。
【００９８】
メッセージ表示部５３１の下側には、撮影空間で入力された認証用の情報である名前が表示される情報表示部５３２が設けられている。図１２に示した画面例では、“○○○○○＆△△△△△”という情報が表示されているが、この“○○○○○”の部分と“ △△△△△”の部分には、それぞれ入力された名前が表示される。
【００９９】
利用者は、メッセージ表示部５３１に表示されているメッセージを見ることで、先ほど入力した名前でスタンプが作成されることを認識する。そして、情報表示部５３２に表示されている名前が正しければ、“ＯＫ“ボタン５３３が操作される。撮影空間にて入力された情報が、情報表示部５３２に表示されるので、情報を入力した利用者は、表示されている情報が、自己が入力した情報であるか否かを判断することができる。利用者が、判断した結果、“ＯＫ“ボタン５３３を操作するという行為が行われることで、その利用者が編集処理を行う正当な利用者であることが認証される。
【０１００】
このような認証が行われると、編集処理が開始される。図１０に示したフローチャートの説明に戻り、ステップＳ１６において、編集空間での認証処理が実行され、その結果、認証が正しく行われたか否かが、ステップＳ１７において判断される。ステップＳ１７において、認証が正しく行われたと判断されるまで、ステップＳ１６に処理が戻され、それ以降の処理が繰り返される。
【０１０１】
また、ステップＳ１７においては、所定の時間が経過したか否かが判断される。所定の時間が経過したと判断されるまで、ステップＳ１６に処理が戻され、それ以降の処理が繰り返される。この所定の時間とは、例えば、撮影空間にいた利用者（正当な利用者）が、編集空間に移動するまでにかかる時間（許容できる時間）とされる。ステップＳ１７において、認証が正常に行われたと判断された場合、または所定の時間が経過としたと判断された場合、ステップＳ１８に処理が進められる。
【０１０２】
図１３に、編集空間での認証処理時にタブレット内蔵モニタ１３１上に表示される他の画面の一例を示す。図１３に示した画面の上部には、メッセージ表示部５３１が設けられ、その下側に設けられている情報表示部５３２には、複数の名前（情報）が表示されている。この複数の名前には、利用者が入力した情報が含まれる。仮に、２人の利用者の名前が入力されていた場合には、その２人の名前を含む５人分の名前が表示されるようにしてもよいし、２人のうちの１人の名前を含む５人分の名前が表示されるようにしてもよい。さらに、ここでは、５人分の名前を例に挙げて説明するが、５人分の名前に限定される記載ではなく、さらに多くの人数分の名前が表示されるようにしても、勿論良い。
【０１０３】
メッセージ表示部５３１には、“入力した名前は？”といったメッセージが表示されている。利用者は、このメッセージを見て、情報表示部５３２に表示されている複数の名前（図１３に示した例では、名前Ａ乃至名前Ｅの５個の名前）から、自己が入力した名前を選択する。
【０１０４】
編集空間に移動してきた利用者が、正当な利用者であれば、換言すれば、撮影空間において、名前を入力した利用者であれば、間違えることなく、自己が入力した名前を選択することができるはずである。しかしながら、正当な利用者でなければ、入力された名前を知らず、間違った名前を選択する可能性が高い。例えば、編集処理が終了したにも関わらず、編集空間にとどまり、図１３に示したような画面が表示されたときに、勝手に情報表示部５３２に表示されている情報を選択してしまうことがあると想定される。
【０１０５】
このようなときは、間違った情報が選択される可能性が高く、間違った情報が選択されたときには、編集処理が開始されないようにすることで、不正な利用者が編集処理を行ってしまうようなことを防ぐことが可能となる。
【０１０６】
例えば、正確な情報が選択されたときには、タブレット内蔵モニタ１３１上の認証用の画面が、編集用の画面に切り換えられるが、間違った情報が選択されたときには、タブレット内蔵モニタ１３１上の認証用の画面は、そのまま認証用の画面のままにされる。また、間違った情報が選択されたときには、所定の時間だけ、情報の選択自体ができない状態とされるようにしてもよい。
【０１０７】
仮に、不正な利用者が、複数回、間違った選択を行ったとすると、間違う毎に、所定の時間が経過することになる。その結果、ステップＳ１７において、所定の時間が経過したと判断され、ステップＳ１８に処理が進められたとしても、それ迄には正当な利用者が編集空間に移動していると考えられるため、結果的には、編集を行うのは正当な利用者とすることが可能となる。
【０１０８】
このように、正当な利用者しか知り得ない名前やグループ名といった情報を用いて認証処理を行うことが可能となる。よって、不正な利用者が、正当な利用者になりすまして編集処理を行ってしまうようなことを防ぐことが可能となる。
【０１０９】
図１０のフローチャートの説明に戻る。ステップＳ１８において、編集処理部３０２は、編集空間に移動した利用者に、撮影処理で得られた６枚の撮影画像に対して編集入力を行わせる編集処理を行う。
【０１１０】
編集作業が終了すると、編集処理部３０２は、ステップＳ１９において、編集作業を終えた編集空間Ａ２内の利用者に対して、画像や音声によって事後接客空間Ａ３への移動を促す移動案内を行う。このような移動案内が行われると、利用者は、移動案内に基づき、事後接客空間Ａ３に移動するため、事後接客空間Ａ３においては、ステップＳ２０における処理が実行される。
【０１１１】
事後接客空間Ａ３は、写真シールを印刷する印刷空間に設けられている。ステップＳ２０においては、その印刷空間において印刷される写真シールを受け取る正当な利用者であるか否か、換言すれば、事後接客空間において事後接客を受ける正当な利用者であるか否かを判断するための認証処理が実行される。
【０１１２】
ステップＳ２０において、事後接客処理部３０４は、事後接客空間での認証処理を実行する。事後接客空間での認証処理は、図１４に示したような画面が、事後接客空間に備えられているタブレット内蔵モニタ１６１上に表示されることで行われる。図１４を参照するに、タブレット内蔵モニタ１６１に表示される画面の上部には、“この名前をシール紙に印字してもいい?”といったメッセージが表示されるメッセージ表示部５６１が設けられている。
【０１１３】
メッセージ表示部５６１の下側には、撮影空間で入力された認証用の情報であり、編集空間での認証時に認証用の情報として利用者に提示されていた情報である名前が表示される情報表示部５６２が設けられている。図１４に示した画面例では、“○○○○○＆△△△△△”という情報が表示されているが、この“○○○○○”の部分と“ △△△△△”の部分には、それぞれ入力された名前が表示される。
【０１１４】
利用者は、メッセージ表示部５６１に表示されているメッセージを見ることで、撮影空間で入力した名前がシール紙に印字されることを認識する。そして、情報表示部５６２に表示されている名前が正しければ、“ＯＫ“ボタン５６３が操作される。撮影空間にて入力された情報であり、自分の名前が、情報表示部５６２に表示されるので、情報を入力した利用者は、表示されている情報が、自己が入力した情報であるか否かを判断することができる。利用者が、判断した結果、“ＯＫ“ボタン５６３を操作するという行為が行われることで、その利用者が印刷処理を行う正当な利用者であることが認証される。
【０１１５】
このような認証が行われると、印刷処理が開始されるとともに、事後接客も開始される。図１０に示したフローチャートの説明に戻り、ステップＳ２０において、事後接客空間（印刷空間）での認証処理が実行され、その結果、認証が正しく行われたか否かが、ステップＳ２１において判断される。ステップＳ２１において、認証が正しく行われたと判断されるまで、ステップＳ２０に処理が戻され、それ以降の処理が繰り返される。
【０１１６】
また、ステップＳ２１においては、所定の時間が経過したか否かが判断される。所定の時間が経過したと判断されるまで、ステップＳ２０に処理が戻され、それ以降の処理が繰り返される。この所定の時間とは、例えば、編集空間にいた利用者（正当な利用者）が、事後接客空間に移動するまでにかかる時間（許容できる時間）とされる。ステップＳ２１において、認証が正常に行われたと判断された場合、または所定の時間が経過としたと判断された場合、ステップＳ２２に処理が進められる。
【０１１７】
図１５に、事後接客空間での認証処理時にタブレット内蔵モニタ１６１上に表示される他の画面の一例を示す。図１５に示した画面の上部には、メッセージ表示部５６１が設けられ、その下側に設けられている情報表示部５６２には、複数の名前（情報）が表示されている。この複数の名前には、利用者が入力した情報が含まれる。仮に、２人の利用者の名前が入力されていた場合には、その２人の名前を含む５人分の名前が表示されるようにしてもよいし、２人のうちの１人の名前を含む５人分の名前が表示されるようにしてもよい。また、２人の利用者の名前が入力された場合には、図１４に示した例と同じく、名前Ａ＆名前Ｂといった表示にし、複数の名前の組が表示されるようにしてもよい。
【０１１８】
さらに、ここでは、５人分の名前を例に挙げて説明するが、５人分の名前（５組の名前）に限定される記載ではなく、さらに多くの人数分の名前が表示されるようにしても、勿論良い。
【０１１９】
メッセージ表示部５６１には、“シール紙に印字したい名前は？”といったメッセージが表示されている。利用者は、このメッセージを見て、情報表示部５６２に表示されている複数の名前から、自己が入力した名前を選択する。
【０１２０】
事後接客空間に移動してきた利用者が、正当な利用者であれば、換言すれば、撮影空間において、名前を入力した利用者であれば、間違えることなく、自己が入力した名前を選択することができるはずである。しかしながら、正当な利用者でなければ、入力された名前を知らず、間違った名前を選択する可能性が高い。例えば、印刷処理が終了したにも関わらず、印刷空間にとどまり、図１３に示したような画面が表示されたときに、勝手に情報表示部５６２に表示されている情報を選択してしまうことがあると想定される。
【０１２１】
このようなときは、間違った情報が選択される可能性が高く、間違った情報が選択されたときには、事後接客処理が開始されないようにすることで、不正な利用者が事後接客処理を受けてしまうことを防ぐことが可能となる。
【０１２２】
例えば、正確な情報が選択されたときには、タブレット内蔵モニタ１６１上の認証用の画面が、事後接客用の画面に切り換えられるが、間違った情報が選択されたときには、タブレット内蔵モニタ１６１上の認証用の画面は、そのまま認証用の画面のままにされる。また、間違った情報が選択されたときには、所定の時間だけ、認証用の画面に表示されている複数の情報内からの情報の選択自体ができない状態とされるようにしてもよい。このときの“所定の時間”とは、ステップＳ２１において所定の時間だけ経過したか否かを判断するときの“所定の時間”よりは短い時間とされる。区別するために、前者を“選択不可時間”とし、後者を“所定の時間”との記載をする。すなわちこの場合、選択不可時間＜所定の時間が満たされる関係となる。
【０１２３】
また仮に、不正な利用者が、複数回、間違った選択を行ったとすると、間違う毎に、選択不可時間が経過し、選択不可時間が累積加算されていくことになる。例えば、タブレット内蔵モニタ１６１上には、図１５に示したように、名前Ａ乃至Ｅの五人分の名前が表示されているときに、不正な利用者が間違った情報である名前Ａを選択した場合、図１５に示した認証用の画面が、そのまま表示し続けられる。そして、仮に、利用者が、他の情報、例えば、名前Ｂを選択しようとしても、選択不可時間の間は、名前Ｂを含む表示されている全ての情報を選択することはできない。選択不可時間が経過した後であれば、名前Ｂなどの他の情報を選択することができる状態とされる。
【０１２４】
このように、認証用の画面に表示されている情報から、利用者により選択された情報が、間違っている場合には、選択不可時間が経過した後でなければ、認証用の画面に表示されている情報を再度選択できる状態にはされない。よって、繰り返し、間違った情報が選択されると、選択不可時間が累積加算されることになる。
【０１２５】
その結果、ステップＳ２１において、所定の時間が経過したと判断され、ステップＳ２２に処理が進められたとしても、それ迄には正当な利用者が事後接客空間に移動していると考えられるため、結果的には、事後接客のサービスを受け、印刷されたシール紙を受け取るのは正当な利用者とすることが可能となる。所定の時間が経過した後には、認証用の画面から、事後接客用の画面にタブレット内蔵モニタ１６１上の画面は切り換えられる。事後接客用の画面に切り換えられることで、事後接客に関する情報の入力ができる状態とされる。
【０１２６】
このように、正当な利用者しか知り得ない名前やグループ名といった情報を用いて認証処理を行うことが可能となる。よって、不正な利用者が、正当な利用者になりすまして、事後接客処理を受けたり、印刷された写真シール紙を持ち帰ってしまったりすることを防ぐことが可能となる。
【０１２７】
図１０のフローチャートの説明に戻る。ステップＳ２２において、印刷処理部３０３は、プリンタ２４１を制御し、編集作業により得られた編集済み画像を、標準代金に対応する枚数だけシール紙に印刷する印刷処理を行う。
【０１２８】
ステップＳ２３において、事後接客処理部３０４は、印刷終了待機中の利用者に対して、編集済み画像を投稿するミニゲームや携帯端末などに編集済み画像を転送するサービスを提供する事後接客処理を行う。そして事後接客処理が終了すると、ステップＳ２４において、印刷処理部３０３は、プリンタ２４１を制御し、印刷処理が終了すると、印刷済みのシール紙をシール紙排出口１６４より排出させ、写真シール作成ゲーム処理を終了する。
【０１２９】
以上のような流れにより、写真シール作成ゲームは行われる。また、撮影空間において入力された情報を用いて、編集空間と印刷空間（事後接客空間）において認証処理が行われるために、正当な利用者が、編集、印刷、事後接客を利用することができる。
【０１３０】
［誕生日を用いた認証処理について］
上述した実施の形態においては、名前やグループ名といった情報が用いられて認証処理が行われる場合を例に挙げて説明したが、認証処理のための情報として、名前やグループ名に限定されることを示すものではない。他の実施の形態として、誕生日を認証処理のための情報として用いる場合について説明する。
【０１３１】
写真シール機１において行われる写真シール作成ゲームの処理の流れは、図１０のフローチャートに基づき行われ、ステップＳ１３において認証用の情報の入力を受け付けるときの画面、ステップＳ１６において、編集空間での認証処理を実行する際の画面、およびステップＳ２０において印刷空間での認証処理を実行する際の画面が、それぞれ上記した名前やグループ名といった情報を認証処理のための情報として用いたときと異なる。
【０１３２】
図１６は、ステップＳ１３において、認証用の情報の入力を受け付ける際に、撮影空間に設けられているタッチパネルモニタ９３に表示される画面の一例を示す図である。図１６に示した画面は、利用者が、誕生日を入力することが可能な画面となっている。画面の上部のメッセージ表示部６０１には、“誕生日を入力してね”というメッセージと、“入力するとスタンプが出るよ”といったメッセージが表示されている。その下側の誕生日入力部６０２には、生まれた年を入力する部分、月を入力する部分、日を入力する部分が設けられている。
【０１３３】
この場合、２人の誕生日が入力できるようにすることも可能である。例えば、誕生日入力部６０２を２人分表示させるようにすれば、２人が同時に誕生日を入力することが可能となる。また、１人目の誕生日が入力された後に、２人目の誕生日の入力画面に、画面が遷移するようにしてもよい。
【０１３４】
この場合も、図１１に示した名前を入力する際の画面と同じく、利用者には、認証用の情報を入力させることを意識させずに、認証用の情報を入力させることができる。すなわち、利用者に上記したようなメッセージを表示することで、編集処理で用いることができるスタンプを作成するための情報の入力であると認識させ、利用者の積極的な気持ちで、情報を入力させることが可能となる。
【０１３５】
上述した利用者の名前を認証用の情報として用いる場合と同様に、認証用の情報を入力してくれた利用者に対しては、特別なスタンプ画像が提供されるといったような、何らかの特典を付与することで、利用者に取っては、特典を得るための情報入力であるようにし、写真シール機１にとっては認証用の情報の取得であるようにすることができる。
【０１３６】
このような画面において誕生日が入力されると、この誕生日の情報は、認証用の情報として用いられる。図１７は、ステップＳ１６において、編集空間での認証処理が実行される際に、タブレット内蔵モニタ１３１に表示される画面の一例を示す図である。図１７に示した画面の上部のメッセージ表示部６３１には、“この誕生日でスタンプを作成してもいい？”といったメッセージが表示されている。その下側の情報表示部６３２には、撮影空間で入力された誕生日が表示されている。さらに、その下側には“ＯＫ”ボタン６３３が表示されている。なお、２人の誕生日が入力された場合、２人の誕生日が表示されるようにしてもよい。
【０１３７】
利用者は、メッセージ表示部６３１に表示されているメッセージを見ることで、先ほど入力した誕生日でスタンプが作成されることを認識する。そして、情報表示部６３２に表示されている誕生日が正しければ、“ＯＫ“ボタン６３３が操作される。撮影空間にて入力された情報が、情報表示部６３２に表示されるので、情報を入力した利用者は、表示されている情報が、自己が入力した情報であるか否かを判断することができる。利用者が、判断した結果、“ＯＫ“ボタン６３３を操作するという行為が行われることで、その利用者が編集処理を行う正当な利用者であることが認証される。
【０１３８】
上述した名前の場合と同様に、利用者が入力した誕生日を含む複数の誕生日を表示し、その表示された複数の誕生日から、利用者が、利用者自身の誕生日を選択するようにしても良い。
【０１３９】
図１８は、ステップＳ２０において、事後接客空間（印刷空間）での認証処理が実行される際に、タブレット内蔵モニタ１６１に表示される画面の一例を示す図である。図１８に示した画面の上部のメッセージ表示部６６１には、“この誕生日をシール紙に印字してもいい？”といったメッセージが表示されている。その下側の情報表示部６６２には、撮影空間で入力された誕生日が表示されている。さらに、その下側には“ＯＫ”ボタン６６３が表示されている。なお、２人の誕生日が入力された場合、２人の誕生日が表示されるようにしてもよい。
【０１４０】
利用者は、メッセージ表示部６６１に表示されているメッセージを見ることで、撮影空間で入力した誕生日がシール紙に印字されることを認識する。そして、情報表示部６６２に表示されている誕生日が正しければ、“ＯＫ“ボタン６６３が操作される。撮影空間にて入力された情報が、情報表示部６６２に表示されるので、情報を入力した利用者は、表示されている情報は、自己が入力した情報であるか否かを判断することができる。利用者が、判断した結果、“ＯＫ“ボタン６６３を操作するという行為が行われることで、その利用者が編集処理を行う正当な利用者であることが認証される。
【０１４１】
上述した名前の場合と同様に、利用者が入力した誕生日を含む複数の誕生日を表示し、その表示された複数の誕生日から、利用者が、利用者自身の誕生日を選択するようにしても良い。
【０１４２】
このように、撮影空間において入力された誕生日という個人情報を用いて、編集空間と印刷空間（事後接客空間）において認証処理が行われるために、正当な利用者が、編集、印刷、事後接客を利用することができる。
【０１４３】
［所定のスタンプでの認証処理について］
次に、所定のスタンプを認証処理のための情報として用いる場合について説明する。スタンプとは、編集作業に用いることができるツールの１つであり、撮影された利用者の写真上に押すことができるツールである。
【０１４４】
図１９は、ステップＳ１３において、認証用の情報の入力を受け付ける際に、撮影空間に設けられているタッチパネルモニタ９３に表示される画面の一例を示す図である。図１９に示した画面は、利用者が、複数のスタンプの中から好みのスタンプを選択できる画面となっている。画面の上部のメッセージ表示部７０１には、“好きなスタンプ画像を選択してね！”というメッセージが表示されている。
【０１４５】
その下側には、スタンプ表示部７０２とスタンプ表示部７０３が設けられている。スタンプ表示部７０２には、ニコチャンマークが８個表示されている。この８個のニコチャンマークは、色が異なるスタンプ画像とされる。スタンプ表示部７０３には、星顔マークが４個表示されている。この４個の星顔マークは、異なる顔や色とされている。
【０１４６】
スタンプ表示部７０２とスタンプ表示部７０３に、それぞれ表示されるニコチャンマークと星顔マークのうち、利用者が選択したスタンプ画像は、編集処理時に編集用のスタンプとして利用者に提供される。このように、このスタンプ画像は、この画面において選択しなければ使うことができない特別なスタンプ画像とされる。
【０１４７】
この例の場合、認証用の情報を入力してくれた利用者に対しては、特別なスタンプ画像が提供されるという特典が利用者に付与されることで、利用者に取っては、特典を得るための情報入力であるようにし、写真シール機１にとっては認証用の情報の取得であるようにすることができる。
【０１４８】
スタンプ表示部７０２に表示された８個のスタンプ画像と、スタンプ表示部７０３に表示された５個のスタンプ画像の合計１３個のスタンプ画像のうちから、２つのスタンプ画像が利用者により選択されると、“決定”ボタン７０４が操作される。この際、１３個のスタンプ画像から２個のスタンプ画像が選択されるようにしてもよいし、スタンプ表示部７０２に表示された８個のスタンプ画像から１つのスタンプ画像が選択され、かつスタンプ表示部７０３に表示された５個のスタンプ画像から１つのスタンプ画像が選択されることで、２個のスタンプ画像が選択されるようにしてもよい。
【０１４９】
図２０は、ステップＳ１６において、編集空間での認証処理が実行される際に、タブレット内蔵モニタ１３１に表示される画面の一例を示す図である。図２０に示した画面の上部のメッセージ表示部７３１には、“さっき選択したスタンプ画像を選択してね！”といったメッセージと、“選択したスタンプ画像は落書きで使ったり、携帯で使えるよ！”といったメッセージが表示されている。その下側のスタンプ表示部７３２とスタンプ表示部７３３には、図１９に示した画面のスタンプ表示部７０２とスタンプ表示部７０３に表示されていたスタンプ画像と、同様のスタンプ画像が表示される。さらに、その下側には“ＯＫ”ボタン７３４が表示されている。
【０１５０】
利用者は、メッセージ表示部７３１に表示されているメッセージを見ることで、先ほど選択したスタンプ画像は、編集作業（落書き）や、携帯電話機で使えることを認識する。そして、スタンプ表示部７３２とスタンプ表示部７３３に表示されているスタンプ画像の中から、撮影空間において図１９に示した画面を参照して選択した２つのスタンプ画像が、利用者により選択される。そして、選択後、“ＯＫ“ボタン７３４が操作される。
【０１５１】
編集空間で選択されたスタンプ画像と、撮影空間で選択されたスタンプ画像が、一致していれば、正当な利用者であると判断することができる。よって、選択されたスタンプ画像が一致しているときには、編集画面にタブレット内蔵モニタ１３１上の画面が認証用の画面から切り換えられる。しかしながら、編集空間で選択されたスタンプ画像と、撮影空間で選択されたスタンプ画像が、一致していなければ、正当な利用者ではない可能性があるので、タブレット内蔵モニタ１３１上の画面は認証用の画面のままとされる。このようにして、スタンプ画像により、編集空間における認証処理を行うことができる。
【０１５２】
図２１は、ステップＳ２０において、事後接客空間（印刷空間）での認証処理が実行される際に、タブレット内蔵モニタ１７１に表示される画面の一例を示す図である。図２１に示した画面の上部のメッセージ表示部７６１には、“編集で使ったスタンプを選択してね”といったメッセージと、“編集で使ったスタンプ画像は携帯で使えるよ！”といったメッセージが表示されている。その下側のスタンプ表示部７６２とスタンプ表示部７６３には、図１９に示した画面のスタンプ表示部７０２とスタンプ表示部７０３に表示されていたスタンプ画像と、同様のスタンプ画像が表示される。さらに、その下側には“ＯＫ”ボタン７６４が表示されている。
【０１５３】
利用者は、メッセージ表示部７６１に表示されているメッセージを見ることで、編集作業で入力したスタンプ画像を選択することで、携帯電話機でも使えるようになることを認識する。スタンプ表示部７６２とスタンプ表示部７６３に表示されているスタンプ画像のうち、編集作業で使えたスタンプ画像は、撮影空間において選択したスタンプ画像であるため、結果的に、撮影空間で選択したスタンプ画像が選択されることになる。
【０１５４】
そして、スタンプ表示部７６２とスタンプ表示部７６３に表示されているスタンプ画像の中から、編集作業において使われた２つのスタンプ画像が、利用者により選択される。そして、選択後、“ＯＫ“ボタン７３４が操作される。事後接客空間で選択されたスタンプ画像と、編集空間での編集作業で用いられたスタンプ画像が、一致していれば、正当な利用者であると判断することができる。
【０１５５】
よって、選択されたスタンプ画像が一致しているときには、事後接客用の画面にタブレット内蔵モニタ１６１上の画面が認証用の画面から切り換えられる。しかしながら、事後接客空間で選択されたスタンプ画像と、撮影空間で選択されたスタンプ画像が、一致していなければ、正当な利用者ではない可能性があるので、タブレット内蔵モニタ１６１上の画面は認証用の画面のままとされる。このようにして、スタンプ画像により、事後接客空間（印刷空間）における認証処理を行うことができる。
【０１５６】
なお、図２１に示した画面において、“編集で使ったスタンプを選択してね”というメッセージが表示されるが、編集時に、撮影空間で予め選択したスタンプ画像を、編集時に使うとは限らない。このようなとき利用者は、編集時に使ったスタンプ画像が、画面内にないために、選択できず、結果として、事後接客のサービスを受けることができないなどの不都合が発生する可能性がある。そこで、メッセージを、“さっき選択したスタンプ画像を選択してね！”といったメッセージにしても良い。このメッセージは、図２０に示した編集空間での認証処理のときに表示される画面に表示されたメッセージと同じである。
【０１５７】
また、編集作業中に、利用者は、撮影空間で選択したスタンプ画像を忘れてしまうことも考えられる。そこで、編集作業が終了したときに、利用者に、“さっき選択したスタンプはこれだよ”といったメッセージとともに、利用者が選択したスタンプ画像を提示するようにしてもよい。このようにすることで、編集作業中に選択したスタンプ画像を忘れてしまっても、思い出させることができ、印刷空間での認証処理時に、スタンプ画像を選択し間違うといったようなことを防ぐことが可能となる。
【０１５８】
また、“編集で使ったスタンプを選択してね”というメッセージを表示するようにし、利用者が編集作業時に実際に使ったスタンプ画像と、使っていないスタンプ画像とから構成される複数のスタンプ画像を表示し、その中から、選択させるようにしてもよい。このようにした場合も、編集作業時に使ったスタンプ画像は、編集を行った利用者しか知り得ない情報なので、そのような情報で認証処理を行うことで、正当な利用者であるか否かを判断することは可能である。
【０１５９】
このように、名前や誕生日といった個人情報に限らず、スタンプ画像なども認証処理に用いることが可能である。
【０１６０】
［非接触型ICを利用した認証処理について］
次に、非接触型ICを利用した認証処理について説明する。図２２は、非接触型ICを利用した認証処理を行う場合の写真シール機１の構成を示す図である。非接触型ICには、非接触型カードや、非接触型タグも含み、非接触で通信を行い、データの授受を行える物が含まれる。図２２に示した写真シール機１’と、図８に示した写真シール機１を比較するに、図２２に示した写真シール機１’は、図８に示した写真シール機１に非接触型ICリーダ／ライタ部８０１と非接触型ICリーダ／ライタ部８０２が追加された構成とされている。
【０１６１】
非接触型ICリーダ／ライタ部８０１は、撮影部２０８に追加され、非接触型ICリーダ／ライタ部８０２は、編集部２０９Ａに追加されている。なお図示はしていないが、編集部２０９Ｂにも、非接触型ICリーダ／ライタ部は、追加されている。事後接客部２１０には、図８に示した写真シール機１においても非接触型ICリーダ／ライタ部１６３を備えており、図２２に示した写真シール機１’においても同様に、非接触型ICリーダ／ライタ部１６３を備えている。非接触型ICは、例えば、携帯電話機などの端末に組み込まれているため、携帯電話機を用いて認証処理ができる。
【０１６２】
このように、撮影空間、編集空間、事後接客空間（印刷空間）のそれぞれの空間に、非接触型ICリーダ／ライタを備えることで、各空間に備えられている非接触型ICリーダ／ライタで、認証処理を行うことができる。利用者は、各空間に備えられている非接触型ICリーダ／ライタに、自己の非接触型ICをかざすだけで、認証処理が行われる。このように非接触型ICリーダ／ライタに、自己の非接触型ICをかざすという行為だけで、認証処理が実行されるが、利用者にとっては、認証処理のために、そのような行為をしなければならないとなると、煩わしいなど感じる可能性がある。
【０１６３】
そこで、携帯電話機などの非接触型ICが組み込まれている端末を非接触型ICリーダ／ライタにかざすことで認証処理を行った利用者に対しては、プレミアム画像として高画質な画像を提供したり、特別な編集用ツールを提供したり、編集作業の時間を通常よりも長くするなど、特典を提供するようにする。そのような特典があることを、上述した実施の形態と同じく、メッセージ表示部にメッセージとして表示することで、利用者に認識させる。利用者は、そのような特典を得るために、非接触型ICを、各空間に設置された非接触型ICリーダ／ライタにかざすようになる。
【０１６４】
このような場合も、基本的な処理の流れは図１０に示したフローチャートの処理と同様に行われる。ここでは、認証に係る処理についてのみ、再度図１０のフローチャートを参照して説明を加える。ステップＳ１３において、認証用の情報の入力が受け付けられるが、この処理は、非接触型ICリーダ／ライタ部８０１に、利用者の非接触型ICがかざすことで行われる。そして、そのような非接触型ICがかざされるという行為が行われることで、認証用の情報が入力されたか、または、所定の時間が経過したかが、ステップＳ１４において判断される。
【０１６５】
撮影空間で、非接触型ICが非接触型ICリーダ／ライタ部８０１にかざされることで、入力された認証用の情報（携帯端末IDとする）は、記憶され、以降の認証処理のときに用いられる。
【０１６６】
ステップＳ１６において、編集空間での認証処理が実行されるが、この処理も、非接触型ICリーダ／ライタ部８０２に、利用者の非接触型ICがかざされることで行われる。そして、そのような非接触型ICがかざされることで、携帯端末IDが入力された場合、その携帯端末IDと、記憶されている携帯端末IDが比較され、一致すれば、認証ＯＫと判断され、一致していなければ、認証ＮＧと判断される。このようにして、撮影空間で入力された非接触型ICからの情報で、編集空間における認証処理が実行される。
【０１６７】
ステップＳ１９において、事後接客空間（印刷空間）での認証処理が実行されるが、この処理も、非接触型ICリーダ／ライタ１６３に、利用者の非接触型ICがかざされることで行われる。そして、そのような非接触型ICがかざされることで、携帯端末IDが入力された場合、その携帯端末IDと、記憶されている携帯端末IDが比較され、一致すれば、認証ＯＫと判断され、一致していなければ、認証ＮＧと判断される。このようにして、撮影空間で入力された非接触型ICからの情報で、事後接客空間における認証処理が実行される。
【０１６８】
なお、携帯端末IDからサイトの会員であるか否かを判断し、会員である場合には、プレミアム画像などの提供が行われるようにしても良い。サイトの会員とは、写真シール機１で撮影した画像や編集した画像を、携帯電話機でアクセスし、見ることができるサイトの会員である。会員となることで受けられるサービスなどは種々あるが、ここではその説明は省略する。
【０１６９】
サイトのサーバ（不図示）には、会員の情報が管理されており、その情報の一部として、携帯端末IDがある。例えば、非接触型ICが非接触型ICリーダ／ライタ部８０１にかざされ、携帯端末IDが入力されたとき、通信部２０３を介して、サーバ（不図示）にアクセスし、その入力された携帯端末IDがサーバに登録されているか否かを判断することで、会員であるか否かを判断する。
【０１７０】
またサーバにアクセスすることで、会員であるか否かを判断するようにした場合、サーバにアクセスすることで認証処理が行われるようにしても良い。すなわち、写真シール機１で携帯端末IDが取得された場合、通信部２０３を介してサーバにその携帯端末IDが送信され、サーバ側でその携帯端末IDを記憶したり、記憶されている携帯端末IDと一致しているか否かを判断して会員であるか否かを判断したりし、その結果を、写真シール機１に返信するようにしても良い。
【０１７１】
また、会員である場合、会員番号など、利用者に割り当てられた識別情報がある。そのような識別情報が、認証用の情報として用いられるようにしても良い。例えば、ステップＳ１３の処理として、撮影空間での認証用の情報の入力が受け付けられるが、この認証用の情報が、会員毎に割り当てられた識別情報とされる。
【０１７２】
撮影の前または後に、識別情報が入力される。その後、編集空間と事後接客空間においても、識別情報の入力が行われることで認証処理が行われる。識別情報などが入力されることで認証処理が行われた場合、サイトを介して提供されるプレミアム画像として高画質の画像や、編集画像と未編集画像の両方を提供するといった特典が利用者に付与されるようにする。このようにすることで、識別情報を入力するような認証であっても、利用者は、特典を受けるための入力を行うだけであり、ゲームを楽しむことができる。
【０１７３】
［指紋を用いた認証処理について］
次に、指紋を利用した認証処理について説明する。図２３は、指紋を利用した認証処理を行う場合の写真シール機１の構成を示す図である。図２３に示した写真シール機１”と、図８に示した写真シール機１を比較するに、図２３に示した写真シール機１”は、図８に示した写真シール機１に指紋認証部９０１、指紋認証部９０２、および指紋認証部９０３が追加された構成とされている。
【０１７４】
指紋認証部９０１は、撮影部２０８に追加され、指紋認証部９０２は、編集部２０９Ａに追加され、指紋認証部９０３は、印刷部２１１に追加されている。なお図示はしていないが、編集部２０９Ｂにも、指紋認証部は、追加されている。このように、撮影空間、編集空間、印刷空間（事後接客空間）のそれぞれの空間に、指紋認証部を備えることで、各空間に備えられている指紋認証部で認証処理を行うことができる。
【０１７５】
利用者は、各空間に備えられている指紋認証部に、自己の指を接触させるだけで、認証処理が行われる。利用者は、各空間での処理を開始する際、画面上に表示されているボタンを操作する。そのボタン自体を指紋認証部にすることで、利用者は、認証のために指を指紋認証部に接触させているという意識はない状態で認証処理を行うことが可能となる。指紋は、利用者毎に異なるので、上述した実施の形態よりも、より精密な認証処理を行うことが可能となる。
【０１７６】
上述した実施の形態で、名前、誕生日、スタンプ画像を認証用の情報として用いる実施の形態を説明した。例えば、図１２を再度参照する。図１２は、編集空間で利用者に提供される認証画面であるが、この画面において、正当な利用者でない利用者が、“ＯＫ”ボタン５３３を操作してしまう可能性がある。指紋認証部９０２を編集部２０９に設け、その指紋認証部９０２でも認証処理を行うようにすれば、このように、正当な利用者でない利用者が、“ＯＫ”ボタン５３３を操作してしまっても、指紋認証部９０２による認証処理では指紋が一致せずに、認証不可として扱われる。
【０１７７】
図２１を再度参照する。図２１は、事後接客空間で利用者に提供される認証画面であるが、この画面において、正当な利用者であるが、スタンプ画像の選択を間違うこともある。指紋認証部９０３を印刷部２１１に設け、その指紋認証部９０３でも認証処理を行うようにすれば、このように正当な利用者が間違った入力をしてしまった場合であっても、指紋認証部９０３による認証処理で指紋が一致すれば、認証可として扱うことができる。このように、利用者の間違いをフォローするような認証処理を可能とする。
【０１７８】
このように、名前、誕生日、スタンプ画像を認証用の情報として用いる実施の形態と組み合わせて指紋による認証を行うようにすれば、より精密に利用者認証を行うことが可能となる。
【０１７９】
ここでは、指紋を例に挙げて説明したが、例えば、静脈を認証用の情報として用いるようにしても良い。この場合、図示はしないが、指紋認証部９０１乃至９０３は、静脈認証部に代わり、静脈を検出し、そのパターンを認証用の情報として取得する機能とされる。
【０１８０】
また、利用者の顔を認証用の情報として用いるようにしても良い。この場合、図示はしないが、指紋認証部９０１乃至９０３は、顔を撮影するカメラ（例えば、ＣＣＤカメラ）を備える顔認証部に代わり、顔を撮影し、撮影された画像から顔を検出し、その顔を、認証用の情報として取得する機能とされる。また、撮影部２０８には、カメラ９１が備えられているので、このカメラ９１に顔認証部の機能を持たせても良い。
【０１８１】
このように顔を検出するようにした場合、その顔を元にしたスタンプ画像生成し、編集作業における編集ツールとして利用者に特典として提供されるようにしても良い。
【０１８２】
上述した名前、誕生日、スタンプ画像を認証用の情報として用いる実施の形態と、指紋、静脈、顔といった情報を認証用の情報として用いる実施の形態を組み合わせ認証を行うようにすれば、より精密に利用者認証を行うことが可能となる。また、図１０のフローチャートを再度参照するに、ステップＳ１４、ステップＳ１７、およびステップＳ２１において、所定の時間が経過すると、次のステップに処理が進められるが、この所定の時間が経過したときに、指紋、静脈、顔といった情報を認証用の情報として用いる実施の形態での認証が行われるようにしても良い。このようにすれば、仮に利用者からの認証用の情報の入力がなくても、認証処理は実行できる。
【０１８３】
また、例えば利用者の顔を認証用の情報とする実施の形態と組み合わせて、利用者が名前などの認証用の情報を入力せずに、所定の時間が経過してしまった場合、利用者の顔を元にしたスタンプ画像を生成し、利用者に提示し、選択させることで、認証処理が行われるようにしても良い。このようにすることで、認証用の情報が入力されずに所定の時間が経過した場合でも、認証処理を実行することができる。
【０１８４】
このように、本技術においては、各空間において認証処理を行うので、不正な利用者が正当な利用者の代わりにサービスを受けてしまうようなことを防ぐことが可能となる。また、利用者にとってはゲームの一貫としての処理として受け入れられるようにしたので、認証処理であっても、利用者は煩わしさを感じず、写真シール機１でのゲームに対する満足度を低下させるようなことなく、認証処理を行うことが可能となる。
【０１８５】
なお、上述した実施の形態においては、編集空間と事後接客空間（印刷空間）の両方で認証処理がそれぞれ行われる例を挙げて説明したが、編集空間で認証処理を行い、事後接客空間では認証処理を行わないように構成することも可能である。また、編集空間では認証処理を行わず、事後接客空間では認証処理を行うように構成することも可能である。
【０１８６】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０１８７】
この記録媒体は、例えば、図８に示されるように、装置本体とは別に、写真シール機１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０１８８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１８９】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０１９０】
また、本明細書において、システムとは、複数の装置により構成される装置全体を表すものである。なお、以上において、１つの装置として説明した構成を分割し、複数の装置として構成するようにしてもよい。逆に、以上において複数の装置として説明した構成をまとめて１つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。
【符号の説明】
【０１９１】
１  写真シール機，  １１  撮影ユニット，  １２  編集部，  １３  事後接客部，  ２１  撮影部，  ２２  背景部
【図１】
2014170233.tif 000003
【図２】
2014170233.tif 000004
【図３】
2014170233.tif 000005
【図４】
2014170233.tif 000006
【図５】
2014170233.tif 000007
【図６】
2014170233.tif 000008
【図７】
2014170233.tif 000009
【図８】
2014170233.tif 000010
【図９】
2014170233.tif 000011
【図１０】
2014170233.tif 000012
【図１１】
2014170233.tif 000013
【図１２】
2014170233.tif 000014
【図１３】
2014170233.tif 000015
【図１４】
2014170233.tif 000016
【図１５】
2014170233.tif 000017
【図１６】
2014170233.tif 000018
【図１７】
2014170233.tif 000019
【図１８】
2014170233.tif 000020
【図１９】
2014170233.tif 000021
【図２０】
2014170233.tif 000022
【図２１】
2014170233.tif 000023
【図２２】
2014170233.tif 000024
【図２３】
2014170233.tif 000025